(57)【要約】      （修正有）【課題】製造コストを低く抑えるとともに、形状が異なる複数のコネクター受口のうちの１つを任意に選択して使用することができる携帯機器用物品取付け具を提供する。【解決手段】携帯機器用物品取付け具１０は、形状が異なる複数のコネクター受口のそれぞれに挿し込み可能に形成された挿込部１８ａ、１８ｂと、物品接続部２０とを備える。挿込部のそれぞれは、コネクター受口の内部に摩擦力で引っ掛かる形状に形成されている。挿込部と物品接続部とは、プラスチック材料で形成され、物品接続部には、貫通孔３８が形成されている。挿込部のそれぞれは、物品接続部から異なる方向に突出して形成され、物品接続部は、挿込部のそれぞれの基端部２２ｃ、３２ｅから拡大するように形成されている。【選択図】図２
0003221944.tif 000002
【実用新案登録請求の範囲】
【請求項１】
携帯機器に設けられた形状が異なる複数のコネクター受口のそれぞれに挿し込み可能に形成された複数の挿込部と、
物品が接続される物品接続部とを備え、
複数の前記挿込部のそれぞれは、対応する前記コネクター受口の内部に摩擦力で引っ掛かる形状に形成されており、
複数の前記挿込部のそれぞれと前記物品接続部とは、互いに繋がって一体に形成されている、携帯機器用物品取付け具。
【請求項２】
複数の前記挿込部のそれぞれと前記物品接続部とは、プラスチック材料で形成されている、請求項１に記載の携帯機器用物品取付け具。
【請求項３】
前記物品接続部は、貫通孔を有している、請求項１または２に記載の携帯機器用物品取付け具。
【請求項４】
複数の前記挿込部のそれぞれは、前記物品接続部から異なる方向に突出して形成されている、請求項１ないし３のいずれか１項に記載の携帯機器用物品取付け具。
【請求項５】
前記物品接続部は、複数の前記挿込部のそれぞれの基端部から拡大するように形成されている、請求項１ないし４のいずれか１項に記載の携帯機器用物品取付け具。
【請求項６】
複数の前記挿込部のうちの２つは、互いに直交する方向に延びてＬ字状に形成されている、請求項１ないし５のいずれか１項に記載の携帯機器用物品取付け具。
【請求項７】
複数の前記挿込部のうちの２つは、直線状に並べて形成されている、請求項１ないし５のいずれか１項に記載の携帯機器用物品取付け具。
【請求項８】
複数の前記挿込部のうちの少なくとも１つは、棒状に形成されている、請求項１ないし７のいずれか１項に記載の携帯機器用物品取付け具。
【請求項９】
複数の前記挿込部のうちの少なくとも１つは、板状に形成されている、請求項１ないし８のいずれか１項に記載の携帯機器用物品取付け具。
【考案の詳細な説明】
【技術分野】
【０００１】
本考案は、携帯機器（スマートフォン、ゲーム機または携帯電話など）のコネクター受口にストラップなどの物品を取り付けるための携帯機器用物品取付け具に関する。
【背景技術】
【０００２】
従来から、携帯機器のコネクター受口にストラップを取り付けるためのストラップホルダーがある。下記特許文献１に記載されたストラップホルダーは、コネクター受口に挿し込まれるコネクターベースと、コネクター受口の内部に引っ掛けられるフック部と、フック部をコネクター受口の内部に引っ掛ける方向に付勢するための弾性片と、フック部をコネクター受口の内部に引っ掛ける方向とは反対の方向に押すための押しボタンとを備えている。
【先行技術文献】
【特許文献】
【０００３】
【特許文献１】ＷＯ２０１４／０４１６６２号公報
【０００４】
しかしながら、特許文献１に記載されたストラップホルダーでは、対応する１つのコネクター受口の形状に合わせて各部品が構成されているため、形状が異なる複数のコネクター受口のうちの１つを任意に選択して使用することができないという問題があった。また、コネクターベース、フック部、弾性片および押しボタンなどの多くの部品が必要となるため、製造コストが高くなるという問題があった。なお、特許文献１に記載されたストラップホルダーは、コネクター受口から容易に外れないように構成されているが、携帯機器を手で持つことを原則とすれば、容易に外れても大きな問題にはならないと考えられる。
【考案の概要】
【０００５】
本考案は上記問題に対処するためになされたものであり、その目的は、製造コストを低く抑えることができるとともに、形状が異なる複数のコネクター受口のうちの１つを任意に選択して使用することができる携帯機器用物品取付け具を提供することにある。
【０００６】
上記目的を達成するため、本考案に係る携帯機器用物品取付け具の特徴は、携帯機器に設けられた形状が異なる複数のコネクター受口のそれぞれに挿し込み可能に形成された複数の挿込部と、物品が接続される物品接続部とを備え、複数の前記挿込部のそれぞれは、対応する前記コネクター受口の内部に摩擦力で引っ掛かる形状に形成されており、複数の前記挿込部のそれぞれと前記物品接続部とは、互いに繋がって一体に形成されていることにある。
【０００７】
この構成によれば、形状が異なる複数のコネクター受口のそれぞれに挿し込み可能に形成された複数の挿込部を備えているので、複数のコネクター受口のうちの１つを任意に選択して使用することができる。また、複数の挿込部のそれぞれは、対応するコネクター受口の内部に摩擦力で引っ掛かる形状に形成されているので、フック部などの特別な部品は不要であり、製造コストを低く抑えることができる。さらに、複数の挿込部のそれぞれと物品接続部とは、互いに繋がって一体に形成されているので、１つの挿込部をコネクター受口に挿し込む際には、他の挿込部および物品接続部を手で持って作業し易い。
【０００８】
本考案に係る携帯機器用物品取付け具の他の特徴は、複数の前記挿込部のそれぞれと前記物品接続部とは、プラスチック材料で形成されていることにある。
【０００９】
この構成によれば、複数の挿込部のそれぞれと物品接続部とをプラスチック材料の射出成形などによって簡単に形成することができる。
【００１０】
本考案に係る携帯機器用物品取付け具の他の特徴は、前記物品接続部は、貫通孔を有していることにある。
【００１１】
この構成によれば、物品に繋がったリングや環状の紐を貫通孔に挿通させることによって、当該物品を物品接続部に容易に接続することができる。
【００１２】
本考案に係る携帯機器用物品取付け具の他の特徴は、複数の前記挿込部のそれぞれは、前記物品接続部から異なる方向に突出して形成されていることにある。
【００１３】
この構成によれば、複数の挿込部のそれぞれが物品接続部から異なる方向に突出して形成されているので、物品接続部を手で持つことによって、各挿込部をほぼ同じ感覚で取り扱うことができる。
【００１４】
本考案に係る携帯機器用物品取付け具の他の特徴は、前記物品接続部は、複数の前記挿込部のそれぞれの基端部から拡大するように形成されていることにある。
【００１５】
この構成によれば、物品接続部が挿込部の基端部から拡大するように形成されているので、物品接続部の強度が挿込部の強度よりも大きくなっており、物品接続部で挿込部を補強することができる。
【００１６】
本考案に係る携帯機器用物品取付け具の他の特徴は、複数の前記挿込部のうちの２つは、互いに直交する方向に延びてＬ字状に形成されていることにある。
【００１７】
この構成によれば、２つの挿込部がＬ字状に形成されているので、Ｌ字状の角部分を手で持ち易い。
【００１８】
本考案に係る携帯機器用物品取付け具の他の特徴は、複数の前記挿込部のうちの２つは、直線状に並べて形成されていることにある。
【００１９】
この構成によれば、２つの挿込部が直線状に並べて形成されているので、一方の挿込部をコネクター受口に挿し込んだときには、他方の挿込部を携帯機器の外面から外側に延びるように突出させることができる。したがって、他方の挿込部を手で持つことによって、一方の挿込部をコネクター受口から引き抜き易い。
【００２０】
本考案に係る携帯機器用物品取付け具の他の特徴は、複数の前記挿込部のうちの少なくとも１つは、棒状に形成されていることにある。
【００２１】
この構成によれば、棒状に形成された挿込部をイヤホン端子などの円筒状のコネクター受口に挿し込むことができる。
【００２２】
本考案に係る携帯機器用物品取付け具の他の特徴は、複数の前記挿込部のうちの少なくとも１つは、板状に形成されていることにある。
【００２３】
この構成によれば、板状に形成された挿込部をＭｉｃｒｏＵＳＢ（Universal Serial Bus）端子や、ＭｉｃｒｏＨＤＭＩ（High-Definition Multimedia Interface、登録商標）端子などの偏平な筒状のコネクター受口に挿し込むことができる。
【図面の簡単な説明】
【００２４】
【図１】本考案の実施形態に係る携帯機器用物品取付け具の使用方法を示す斜視図であり、（Ａ）は、携帯機器を長さ方向の一方側から見た斜視図、（Ｂ）は、携帯機器を長さ方向の他方側から見た斜視図である。
【図２】図１に示した携帯機器用物品取付け具の構成を示す斜視図である。
【図３】（Ａ）は、図１に示した携帯機器用物品取付け具の構成を示す平面図、（Ｂ）は、当該物品取付け具の構成を示す正面図、（Ｃ）は、当該物品取付け具の構成を示す右側面図である。
【図４】本考案の他の実施形態に係る携帯機器用物品取付け具の構成を示す平面図である。
【図５】本考案の他の実施形態に係る携帯機器用物品取付け具の構成を示す平面図である。
【図６】本考案の他の実施形態に係る携帯機器用物品取付け具の構成を示す平面図である。
【考案を実施するための形態】
【００２５】
以下、本考案に係る携帯機器用物品取付け具の実施形態について、図面を参照しながら説明する。図１は、本考案の実施形態に係る携帯機器用物品取付け具（以下、単に「物品取付け具」という。）１０の使用方法を示す斜視図であり、図１（Ａ）は、携帯機器１２を長さ方向の一方側から見た斜視図、図１（Ｂ）は、携帯機器１２を長さ方向の他方側から見た斜視図である。図２は、物品取付け具１０の構成を示す斜視図である。図３（Ａ）は、物品取付け具１０の構成を示す平面図、図３（Ｂ）は、物品取付け具１０の構成を示す正面図、図３（Ｃ）は、物品取付け具１０の構成を示す右側面図である。
【００２６】
（物品取付け具１０の構成）
図１（Ａ），（Ｂ）に示すように、物品取付け具１０は、携帯機器１２の複数（本実施形態では２つ）のコネクター受口１４ａ，１４ｂのうちの１つにストラップなどの物品１６を選択的に取り付けるための器具である。
【００２７】
図１（Ａ），（Ｂ）に示す携帯機器１２は、長方形の板状に構成されたスマートフォン（smartphone）であり、携帯機器１２の外周部には、形状が異なる２つのコネクター（図示省略）のそれぞれが挿し込まれる２つのコネクター受口１４ａ，１４ｂが設けられている。図１（Ａ）に示す一方のコネクター受口１４ａは、イヤホンのプラグが挿し込まれる円筒状のイヤホン端子である。図１（Ｂ）に示す他方のコネクター受口１４ｂは、充電器のコネクターが挿し込まれる偏平な筒状のＭｉｃｒｏＵＳＢ端子である。
【００２８】
図１（Ａ），（Ｂ）に示すように、物品取付け具１０は、携帯機器１２に設けられた形状が異なる２つのコネクター受口１４ａ，１４ｂのそれぞれに挿し込み可能に形成された２つの挿込部１８ａ，１８ｂと、物品１６が接続される物品接続部２０とを備えている。２つの挿込部１８ａ，１８ｂは、互いに直交する方向に延びてＬ字状に形成されており、Ｌ字状の角部分に物品接続部２０が形成されている。つまり、２つの挿込部１８ａ，１８ｂのそれぞれは、物品接続部２０から異なる方向に突出して形成されている。
【００２９】
図２に示すように、一方の挿込部１８ａは、図１（Ａ）に示す円筒状のコネクター受口１４ａに挿し込み可能なように、円形の断面を有する棒状に形成されている。また、挿込部１８ａは、対応するコネクター受口１４ａの内部に摩擦力で引っ掛かる形状に形成されている。すなわち、挿込部１８ａの外周面２２ａには、コネクター受口１４ａの内周面に設けられた図示しない突起部に引っ掛けられる複数の環状の段差部２４ａ，２４ｂ，２４ｃが長さ方向に間隔を隔てて形成されている。さらに、挿込部１８ａの先端部２２ｂには、先端に向かうにつれて直径が細くなる先細り部２６が形成されており、挿込部１８ａの基端部２２ｃには、コネクター受口１４ａの開口部２８（図１（Ａ））に当接する環状のストッパー部３０が形成されている。
【００３０】
図２に示すように、他方の挿込部１８ｂは、図１（Ｂ）に示す偏平な筒状のコネクター受口１４ｂに挿し込み可能なように、長方形の板状に形成されている。また、挿込部１８ｂは、対応するコネクター受口１４ｂの内部に摩擦力で引っ掛かる形状に形成されている。すなわち、挿込部１８ｂの先端面３２ａおよび主面３２ｂのそれぞれに対して垂直となる２つの側面３２ｃ，３２ｄには、コネクター受口１４ｂの内面に設けられた図示しない突起部に引っ掛けられる円弧状の凹部３４ａ，３４ｂが形成されている。さらに、挿込部１８ｂの先端面３２ａには、コネクター受口１４ｂの奥部に設けられた図示しない突起部を受け入れる円弧状の凹部３４ｃが形成されている。
【００３１】
図２に示すように、物品接続部２０は、２つの挿込部１８ａ，１８ｂの中間位置に形成された略直方体状の部分である。物品接続部２０には、図１（Ａ），（Ｂ）に示す物品１６に繋がったリング３６が挿通される貫通孔３８が、２つの挿込部１８ａ，１８ｂのそれぞれの突出方向（長さ方向）に対して直交する方向に延びて形成されている。
【００３２】
図２に示すように、物品接続部２０は、２つの挿込部１８ａ，１８ｂのそれぞれの基端部２２ｃ，３２ｅから拡大するように形成されている。すなわち、図３（Ｂ）に示すように、貫通孔３８が延びる方向における物品接続部２０の長さをＨ１とし、当該方向における挿込部１８ａの長さをＨ２とし、当該方向における挿込部１８ｂの長さをＨ３としたとき、「Ｈ１＞Ｈ２」かつ「Ｈ１＞Ｈ３」の関係が成立している。また、図３（Ｃ）に示すように、挿込部１８ｂが延びる方向における物品接続部２０の長さをＷ１とし、当該方向における挿込部１８ａの長さをＷ２としたとき、「Ｗ１＞Ｗ２」の関係が成立している。さらに、図３（Ｂ）に示すように、挿込部１８ａが延びる方向における物品接続部２０の長さをＬ１とし、当該方向における挿込部１８ｂの長さをＬ２としたとき、「Ｌ１＞Ｌ２」の関係が成立している。
【００３３】
本実施形態では、図２に示す２つの挿込部１８ａ，１８ｂのそれぞれと物品接続部２０とが、プラスチック材料の射出成形によって一体に形成されている。プラスチック材料の種類は、特に限定されるものではなく、例えば、高密度ポリエチレン（ＨＤＰＥ）、ポリプロピレン（ＰＰ）、ポリアセタール（ＰＯＭ）、ポリブチレンテレフタレート（ＰＢＴ）、ポリフェニレンサルファイド（ＰＰＳ）などを使用することができる。
【００３４】
（物品取付け具１０の作動）
図２に示す物品取付け具１０を用いて携帯機器１２に物品１６を取り付ける際には、携帯機器１２の使用者は、まず、物品１６に繋がったリング３６を貫通孔３８に挿通させて物品１６を物品接続部２０に接続する。続いて、物品接続部２０およびその周辺部分を手で持って、２つの挿込部１８ａ，１８ｂのうちの一方を対応するコネクター受口１４ａ，１４ｂに挿し込む。挿込部１８ａ，１８ｂのそれぞれは、対応するコネクター受口１４ａ，１４ｂの内部に摩擦力で引っ掛かる形状に形成されているので、特別な操作をしなくても、挿込部１８ａ，１８ｂは、コネクター受口１４ａ，１４ｂから離脱し難い。
【００３５】
（携帯機器用物品取付け具１０の効果）
本実施形態によれば、上記構成により以下の各効果を奏することができる。すなわち、図１（Ａ），（Ｂ）に示すように、物品取付け具１０は、形状が異なる２つのコネクター受口１４ａ，１４ｂのそれぞれに挿し込み可能に形成された２つの挿込部１８ａ，１８ｂを備えているので、２つのコネクター受口１４ａ，１４ｂのうちの１つを任意に選択して使用することができる。また、２つの挿込部１８ａ，１８ｂのそれぞれは、対応するコネクター受口１４ａ，１４ｂの内部に摩擦力で引っ掛かる形状に形成されているので、フック部などの特別な部品は不要であり、製造コストを低く抑えることができる。
【００３６】
図２に示すように、２つの挿込部１８ａ，１８ｂのそれぞれと物品接続部２０とは、プラスチック材料で互いに繋がって一体に形成されているので、２つの挿込部１８ａ，１８ｂのうちの１つをコネクター受口１４ａ，１４ｂに挿し込む際には、他の挿込部１８ａ，１８ｂおよび物品接続部２０を手で持って作業し易い。また、２つの挿込部１８ａ，１８ｂのそれぞれと物品接続部２０とをプラスチック材料の射出成形などによって簡単に形成することができる。
【００３７】
図１（Ａ），（Ｂ）に示すように、物品接続部２０は貫通孔３８を有しているので、物品１６に繋がったリング３６を貫通孔３８に挿通させることによって、当該物品１６を物品接続部２０に容易に接続することができる。
【００３８】
図２に示すように、２つの挿込部１８ａ，１８ｂのそれぞれが物品接続部２０から異なる方向に突出して形成されているので、物品接続部２０を手で持つことによって、各挿込部１８ａ，１８ｂをほぼ同じ感覚で取り扱うことができる。
【００３９】
図２に示すように、物品接続部２０が２つの挿込部１８ａ，１８ｂのそれぞれの基端部２２ｃ，３２ｅから拡大するように形成されているので、物品接続部２０の強度が挿込部１８ａ，１８ｂの強度よりも大きくなっており、物品接続部２０で挿込部１８ａ，１８ｂを補強することができる。
【００４０】
図２に示すように、２つの挿込部１８ａ，１８ｂは、互いに直交する方向に延びてＬ字状に形成されているので、Ｌ字状の角部分を手で持ち易い。
【００４１】
図２に示すように、一方の挿込部１８ａが棒状に形成されているので、この挿込部１８ａを円筒状のコネクター受口１４ａに挿し込むことができる。また、他方の挿込部１８ｂが板状に形成されているので、この挿込部１８ｂを偏平な筒状のコネクター受口１４ｂに挿し込むことができる。
【００４２】
（変形例）
なお、本考案の実施にあたっては、上記実施形態に限定されず、本考案の目的を逸脱しない限りにおいて種々の変更が可能である。すなわち、上記実施形態では、物品取付け具１０が装着される携帯機器１２として、スマートフォンが用いられているが、これに代えて、携帯電話、ゲーム機、タブレット端末および音楽プレーヤーなどが用いられてもよい。また、円筒状のコネクター受口１４ａとしてイヤホン端子が用いられているが、これに代えて、マイク端子などが用いられてもよい。さらに、偏平な筒状のコネクター受口１４ｂとしてＭｉｃｒｏＵＳＢ端子が用いられているが、これに代えて、ＭｉｃｒｏＨＤＭＩ端子などが用いられてもよい。
【００４３】
上記実施形態では、物品取付け具１０が、１つの携帯機器１２に設けられた２つのコネクター受口１４ａ，１４ｂのうちの１つに選択的に取り付けられているが、物品取付け具１０は、複数の携帯機器１２に設けられた複数のコネクター受口（図示省略）のうちの１つに選択的に取り付けられてもよい。この場合、各携帯機器１２には、コネクター受口が１つだけ設けられていてもよい。
【００４４】
上記実施形態では、物品１６に繋がったリング３６が貫通孔３８に挿通されることによって物品１６が物品接続部２０に接続されているが、物品１６に繋がった環状の紐（図示省略）が貫通孔３８に挿通されることによって物品１６が物品接続部２０に接続されてもよい。
【００４５】
上記実施形態では、２つの挿込部１８ａ，１８ｂのそれぞれと物品接続部２０とが、プラスチック材料で一体に形成されているが、これらは、金属材料や木質材料で一体に形成されてもよい。
【００４６】
図４は、本考案の他の実施形態に係る物品取付け具４０の構成を示す平面図である。上記実施形態では、２つの挿込部１８ａ，１８ｂが互いに直交する方向に延びてＬ字状に形成されているが、図４に示す物品取付け具４０のように、２つの挿込部４２ａ，４２ｂが直線状に並べて形成されてもよい。
【００４７】
この構成によれば、一方の挿込部４２ａを対応するコネクター受口１４ｂ（図１（Ａ），（Ｂ））に挿し込んだときに、他方の挿込部４２ｂを携帯機器１２の外面から外側に延びるように突出させることができる。したがって、他方の挿込部４２ｂを手で持つことによって、一方の挿込部４２ａをコネクター受口１４ｂから引き抜き易い。
【００４８】
上記実施形態では、物品取付け具１０が２つの挿込部１８ａ，１８ｂを備えているが、挿込部の数は、複数であればよく、３つ以上にされてもよい。挿込部の数が３つ以上にされた場合でも、各挿込部は、対応するコネクター受口に挿し込み可能な形状であって、対応するコネクター受口の内部に摩擦力で引っ掛かる形状に形成される。
【００４９】
上記実施形態では、２つの挿込部１８ａ，１８ｂの一方が棒状に形成され、他方が板状に形成されているが、複数の挿込部のうちの２つ以上が棒状に形成されてもよいし、複数の挿込部のうちの２つ以上が板状に形成されてもよい。言い換えると、複数の挿込部のうちの少なくとも１つが棒状に形成されてもよいし、複数の挿込部のうちの少なくとも１つが板状に形成されてもよい。
【００５０】
図５は、本考案の他の実施形態に係る物品取付け具５０の構成を示す平面図である。図６は、本考案の他の実施形態に係る物品取付け具６０の構成を示す平面図である。上記実施形態では、２つの挿込部１８ａ，１８ｂが平面視で９０度の角度を隔ててＬ字状に形成されているが、挿込部の数、角度間隔および形状は、適宜変更されてもよい。
【００５１】
例えば、図５に示す物品取付け具５０のように、３つの挿込部５２ａ，５２ｂ，５２ｃが平面視で９０度の角度を隔ててＴ字状に形成されてもよい。また、図６に示す物品取付け具６０のように、３つの挿込部６２ａ，６２ｂ，６２ｃが平面視で１２０度の角度を隔ててＹ字状に形成されてもよい。さらに、図示していないが、４つの挿込部が平面視で９０度の角度を隔てて十字状に形成されてもよい。
【符号の説明】
【００５２】
１０，４０，５０，６０…携帯機器用物品取付け具、１２…携帯機器、
１４ａ，１４ｂ…コネクター受口、１６…物品、１８ａ，１８ｂ…挿込部、
２０…物品接続部、２８…開口部、２２ｃ，３２ｅ…基端部。
【図１】
0003221944.tif 000003
【図２】
0003221944.tif 000004
【図３】
0003221944.tif 000005
【図４】
0003221944.tif 000006
【図５】
0003221944.tif 000007
【図６】
0003221944.tif 000008